【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
ｐ側電極およびｎ側電極を有し、上記ｐ側電極側および上記ｎ側電極側のうちの一方が他方に比べてより強く磁場に引き寄せられるように構成された発光素子チップを、回転している帯電ドラムの表面に複数付着させる工程と、
一方の主面に強磁性材料を含むチップ結合部を複数有する実装基板を上記帯電ドラムに対して移動させながら上記帯電ドラムの表面に付着した上記発光素子チップを上記チップ結合部に、上記ｐ側電極側および上記ｎ側電極側のうちのより強く磁場に引き寄せられるように構成された側を上記チップ結合部に向けて磁力により結合させる工程とを有する発光素子集積装置の製造方法。
【請求項２】
ｐ側電極およびｎ側電極を有し、上記ｐ側電極側および上記ｎ側電極側のうちの一方が他方に比べてより強く磁場に引き寄せられるように構成され、帯電した発光素子チップを、回転している感光体ドラムの表面の上記発光素子チップと逆符号に帯電させた、上記発光素子チップの配列位置に相当する領域に少なくとも一個付着させる工程と、
一方の主面に強磁性材料を含むチップ結合部を複数有する実装基板を上記感光体ドラムに対して移動させながら上記感光体ドラムの表面に付着した上記発光素子チップを上記チップ結合部に、上記ｐ側電極側および上記ｎ側電極側のうちのより強く磁場に引き寄せられるように構成された側を上記チップ結合部に向けて磁力により結合させる工程とを有する発光素子集積装置の製造方法。
【請求項３】
ｐ側電極およびｎ側電極を有し、帯電した発光素子チップを、回転している感光体ドラムの表面の上記発光素子チップと逆符号に帯電させた、上記発光素子チップの配列位置に相当する領域に少なくとも一個付着させる工程と、
一方の主面に粘着物質からなるチップ結合部を複数有する実装基板を上記感光体ドラムに対して移動させながら上記感光体ドラムの表面に付着した上記発光素子チップを上記チップ結合部に上記粘着物質により結合させる工程とを有する発光素子集積装置の製造方法。
【請求項４】
上記発光素子チップの上記ｐ側電極側の表面および上記ｎ側電極側の表面のうちの一方が他方に比べてより強く帯電するように構成されている請求項１〜３のいずれか一項記載の発光素子集積装置の製造方法。
【請求項５】
ｐ側電極およびｎ側電極を有し、上記ｐ側電極側および上記ｎ側電極側のうちの一方が他方に比べてより強く磁場に引き寄せられるように構成された発光素子チップを、回転している帯電ドラムの表面に複数付着させる工程と、
上記帯電ドラムに平行に配置された、表面に複数の磁性体が配列された磁性体ドラムを上記帯電ドラムと逆方向に回転させながら上記帯電ドラムの表面に付着した上記発光素子チップを上記磁性体ドラムの上記磁性体に付着させる工程と、
一方の主面に強磁性材料を含むチップ結合部を複数有する実装基板を上記磁性体ドラムに対して移動させながら上記磁性体ドラムの表面に付着した上記発光素子チップを上記チップ結合部に、上記ｐ側電極側および上記ｎ側電極側のうちのより強く磁場に引き寄せられるように構成された側を上記チップ結合部に向けて磁力により結合させる工程とを有する発光素子集積装置の製造方法。
【請求項６】
ｐ側電極およびｎ側電極を有し、上記ｐ側電極側および上記ｎ側電極側のうちの一方が他方に比べてより強く磁場に引き寄せられるように構成された発光素子チップを、表面に複数の磁性体が配列された、回転している磁性体ドラムの表面に複数付着させる工程と、
上記磁性体ドラムに平行に配置された、表面に複数の粘着体が配列された粘着体ドラムを上記磁性体ドラムと逆方向に回転させながら上記磁性体ドラムの表面に付着した上記発光素子チップを上記粘着体ドラムの上記粘着体に付着させる工程と、
一方の主面に上記粘着体より粘着力が強い粘着物質からなるチップ結合部を複数有する実装基板を上記粘着体ドラムに対して移動させながら上記粘着体ドラムの表面に付着した上記発光素子チップを上記チップ結合部に上記粘着物質により結合させる工程とを有する発光素子集積装置の製造方法。
【請求項７】
ｐ側電極およびｎ側電極を有し、上記ｐ側電極側および上記ｎ側電極側のうちの一方が他方に比べてより強く磁場に引き寄せられるように構成された発光素子チップを、表面に複数の電磁石の芯の一端が配列された、回転しているドラムの表面に上記電磁石を作動させて磁力により複数付着させる工程と、
一方の主面に強磁性材料を含むチップ結合部を複数有する実装基板を上記ドラムに対して移動させながら上記ドラムの表面に付着した上記発光素子チップを上記チップ結合部に、上記ｐ側電極側および上記ｎ側電極側のうちのより強く磁場に引き寄せられるように構成された側を上記チップ結合部に向けて磁力により結合させる工程とを有する発光素子集積装置の製造方法。
【請求項８】
ｐ側電極およびｎ側電極を有する発光素子チップを、回転しているドラムの表面に静電気力、磁力または粘着力により複数付着させる工程と、
一方の主面にチップ結合部を複数有する実装基板を上記ドラムに対して移動させながら上記ドラムの表面に付着した上記発光素子チップを上記チップ結合部に磁力または粘着力により結合させる工程とを有する発光素子集積装置の製造方法。
【請求項９】
ｐ側電極およびｎ側電極を有する発光素子チップを、回転している第１ドラムの表面に静電気力、磁力または粘着力により複数付着させる工程と、
上記第１ドラムに平行に配置された、表面に複数の磁性体、複数の電磁石の芯の一端または複数の粘着体が配列された第２ドラムを上記第１ドラムと逆方向に回転させながら上記第１ドラムの表面に付着した上記発光素子チップを上記第２ドラムの上記磁性体、上記芯の一端または上記粘着体に磁力または粘着力により付着させる工程と、
一方の主面にチップ結合部を複数有する実装基板を上記第２ドラムに対して移動させながら上記第２ドラムの表面に付着した上記発光素子チップを上記チップ結合部に磁力または粘着力により結合させる工程とを有する発光素子集積装置の製造方法。
【請求項１０】
上記発光素子チップの上記ｐ側電極または上記ｎ側電極または上記ｐ側電極および上記ｎ側電極に強磁性材料を含む請求項１〜９のいずれか一項記載の発光素子集積装置の製造方法。
【請求項１１】
上記発光素子チップはＩｎＧａＮ系半導体発光素子チップまたはＡｌＧａＩｎＰ系半導体発光素子チップである請求項１〜１０のいずれか一項記載の発光素子集積装置の製造方法。
【請求項１２】
上記発光素子集積装置は発光ダイオード照明装置、発光ダイオードバックライトまたは発光ダイオードディスプレイである請求項１〜１１のいずれか一項記載の発光素子集積装置の製造方法。
【請求項１３】
ｐ側電極およびｎ側電極を有する発光素子チップの供給口および送出口を有し、上記送出口の内部に帯電ドラムを有する容器と、
上記容器の外部に設けられた、一方の主面にチップ結合部を複数有する実装基板を上記帯電ドラムに対して移動させるための搬送装置とを有する発光素子配列装置。
【請求項１４】
ｐ側電極およびｎ側電極を有する発光素子チップの供給口および送出口を有し、上記送出口の内部に帯電ドラムを有する容器と、
上記容器の外部に上記帯電ドラムに平行に設けられた、表面に複数の磁性体が配列された磁性体ドラムと、
一方の主面にチップ結合部を複数有する実装基板を上記磁性体ドラムに対して移動させるための搬送装置とを有する発光素子配列装置。
【請求項１５】
ｐ側電極およびｎ側電極を有する発光素子チップの供給口および送出口を有し、上記送出口の内部に帯磁ドラムを有する容器と、
上記容器の外部に上記帯磁ドラムに平行に設けられた感光体ドラムと、
上記感光体ドラムの表面に光を選択的に照射する光源と、
上記容器の外部に設けられた、一方の主面にチップ結合部を複数有する実装基板を上記感光体ドラムに対して移動させるための搬送装置とを有する発光素子配列装置。
【請求項１６】
ｐ側電極およびｎ側電極を有する発光素子チップを帯電させて搬送する帯電搬送装置と、
上記帯電搬送装置に平行に、かつ上記帯電搬送装置による上記発光素子チップの搬送方向と直交する方向に設けられた感光体ドラムと、
上記感光体ドラムの表面に光を選択的に照射する光源と、
一方の主面にチップ結合部を複数有する実装基板を上記感光体ドラムに対して移動させるための搬送装置とを有する発光素子配列装置。
【請求項１７】
ｐ側電極およびｎ側電極を有する発光素子チップを搬送する第１搬送装置と、
上記第１搬送装置に平行に、かつ上記第１搬送装置による上記発光素子チップの搬送方向と直交する方向に設けられた、表面に複数の磁性体が配列された磁性体ドラムと、
上記磁性体ドラムに平行に設けられた粘着体ドラムと、
一方の主面にチップ結合部を複数有する実装基板を上記粘着体ドラムに対して移動させるための第２搬送装置とを有する発光素子配列装置。
【請求項１８】
ｐ側電極およびｎ側電極を有する発光素子チップを搬送する第１搬送装置と、
上記第１搬送装置に平行に、かつ上記第１搬送装置による上記発光素子チップの搬送方向と直交する方向に設けられた、表面に複数の電磁石の芯の一端が配列されたドラムと、
一方の主面にチップ結合部を複数有する実装基板を上記ドラムに対して移動させるための第２搬送装置とを有する発光素子配列装置。
【請求項１９】
ｐ側電極およびｎ側電極を有する発光素子チップを、回転しているドラムの表面に複数付着させる工程を少なくとも一回経由し、一方の主面にチップ結合部を複数有する実装基板を上記ドラム、または、上記ドラムの表面に付着した上記発光素子チップを表面に転写した上記ドラムの次段もしくは最終段のドラムに対して移動させながら上記次段もしくは最終段のドラムの表面に付着した上記発光素子チップを上記チップ結合部に、上記発光素子チップの上記ｐ側電極または上記ｎ側電極を上記チップ結合部に向けて結合させる発光素子集積装置の製造方法。
【請求項２０】
ｐ側電極およびｎ側電極を有する発光素子チップを表面に付着させる少なくとも一段のドラムと、
一方の主面にチップ結合部を複数有する実装基板を、最終段の上記ドラムの表面に付着した上記発光素子チップを上記チップ結合部に、上記発光素子チップの上記ｐ側電極または上記ｎ側電極を上記チップ結合部に向けて結合させるために最終段の上記ドラムに対して移動させるための搬送装置とを有する発光素子配列装置。